(57)【特許請求の範囲】
【請求項１】
水の上面に廃棄油を浮かせて廃棄油層として貯留する貯留槽の上端の一端部に排出口を形成し、該排出口に近接して回転羽根を設け、該回転羽根に近接して、前記貯留槽の外側に、前記排出口に近接して油回収槽を形成して、以下のように構成したことを特徴とする廃棄油の回収装置。
(1) 前記貯留槽に前記廃棄油層の上面の最大高さを規制するオーバーフロー装置を設け、
(2) 前記回転羽根は、水平の回転軸の周りに剛性材料からなる羽根の複数枚を、略放射状に突設して構成し、
(3) 前記回転羽根は、下に向いた前記羽根の先端部が廃棄油層内に位置するように、前記回転軸を前記貯留槽の上方に軸止めし、
(4) 前記回転羽根は、１分間当たり３０回転〜６０回転となるように回転数を制御して、
(5) 前記排出口の下縁から貯留層内に向けて案内板を設け、該案内板の下縁を、「前記廃棄油層の上面の最大高さ」の直上または「前記廃棄油層の上面の最大高さ」よりも下方に位置させ、
(6) 前記案内板は、回転している回転羽根の最外周より所定距離を空けて配置した。
【発明の詳細な説明】
【技術分野】
【０００１】
この発明は、水面に浮かんだ廃棄油を油回収槽に回収するための廃棄油の回収装置に関する。
【背景技術】
【０００２】
飲食店などの厨房から生じる排水は、廃棄油が多く含まれており、これをそのまま排水すると配管の内側に油成分が付着し、配管つまりを生じ、更に付着した油成分から悪臭が発生したり、油成分がゴキブリやネズミなどの餌になるなど非衛生的な問題を発生していた。そこで、排水が店舗を出る前の配管にグリーストラップを設けて、油成分を回収していた。また、グリーストラップ内に各種薬品などを投入して、廃棄油を無害な状態に分解する工夫もなされていた。
【０００３】
しかし、排出量が少ない厨房設備ではグリーストラップも有効であるが、ある程度の排出量があると対応できなかった。更に、シンクからグリースとラップまでの配管には油成分が付着することを防止できなかった。
【０００４】
そこで、廃棄油が含まれた排水をシンクから流す前あるいはできるだけシンクに近い位置で、廃棄油を回収する工夫が提案されている（特許文献１）。この油回収装置では、貯留槽中の水面に浮いた廃棄油を回転羽根で掻き出して油回収槽に貯めて、貯めた廃棄油を再利用又は産業廃棄物として処理していた。この回転羽根は、回転体に複数の弾性体を取り付けて、弾性体の自由端側を水面に入れて、回転羽根の外周側に配置した案内体とで、掻き出した廃棄油を油回収槽に移送していた。
【先行技術文献】
【特許文献】
【０００５】
【特許文献１】特開２００４−３２１８７３
【発明の概要】
【発明が解決しようとする課題】
【０００６】
前記従来の回転羽根では、比較的ゆっくりとした回転（１分間に２〜３回転）で、水面を乱さずに、弾性体の自由端側で浮いた廃棄油を掬って、案内体で案内しながら油回収槽の開口縁まで移送して、廃棄油を油回収槽内に投入する。
【０００７】
この回転羽根を使用した油回収装置では、比較的廃棄油の層が薄いタイプ（厚さ１ｍｍ〜２ｃｍ程度）の場合で、廃棄油回収の為に作動時間を長く費やすことが可能な場合には有効であった。逆に、廃棄油の量が多く、また作業時間を短縮したいとの要望に応え難かった。また、この回収装置では、弾性体を長持ちさせるためにメンテナンスが必要であった。
【課題を解決するための手段】
【０００８】
そこでこの発明では、弾性体を使用しないで比較的メンテナンスを簡略化し、比較的厚い廃棄油層の場合であっても、作動時間を短くすることを実現できた。
【００１０】
即ち、この発明は、水の上面に廃棄油を浮かせて廃棄油層として貯留する貯留槽の上端の一端部に排出口を形成し、該排出口に近接して回転羽根を設け、該回転羽根に近接して、前記貯留槽の外側に、前記排出口に近接して油回収槽を形成して、以下のように構成したことを特徴とする廃棄油の回収装置である。
(1) 前記貯留槽に前記廃棄油層の上面の最大高さを規制するオーバーフロー装置を設け、
(2) 前記回転羽根は、水平の回転軸の周りに剛性材料からなる羽根の複数枚を、略放射状に突設して構成し、
(3) 前記回転羽根は、下に向いた前記羽根の先端部が廃棄油層内に位置するように、前記回転軸を前記貯留槽の上方に軸止めし、
(4) 前記回転羽根は、１分間当たり３０回転〜６０回転となるように回転数を制御して、
(5) 前記排出口の下縁から貯留層内に向けて案内板を設け、該案内板の下縁を、「前記廃棄油層の上面の最大高さ」の直上または「前記廃棄油層の上面の最大高さ」よりも下方に位置させ、
(6) 前記案内板は、回転している回転羽根の最外周より所定距離を空けて配置した。
【発明の効果】
【００１１】
この発明は、回転羽根の回転を１分間に３０回転以上として、波だった廃棄油層から廃棄油を回転羽根で掬い取って、油回収槽まで移送するので、剛性の回転羽根を使用して、短時間に大量の廃棄油を移送できる。また、油貯留槽の水に浮いた廃棄油層の厚さに係わらず、数ｍｍ〜数十ｃｍの任意の厚さの層の廃棄油を処理できる。
【図面の簡単な説明】
【００１２】
【図１】図１はこの発明の実施例の廃棄油回収装置の正面図である。
【図２】図２はこの発明の実施例の廃棄油回収装置の右側面図である。
【図３】図３はこの発明の実施例の廃棄油回収装置の平面図である。
【図４】図４はこの発明の実施例の廃棄油回収装置で、回転羽根部分の拡大正面図である。
【図５】図５は、この発明の実施に使用する回転羽根の拡大正面図である。
【図６】図６は、この発明の実施に使用する回転羽根の拡大背面図である。
【図７】図７は、この発明の実施に使用する回転羽根の拡大右正面図である。
【図８】図８は、この発明の実施に使用する回転羽根の拡大平面図である。
【図９】図９は、図７のＡ−Ａ線における断面図である。
【図１０】図１０は、この発明の実施に使用する回転羽根の他の実施例の概略した正面図である。
【発明を実施するための形態】
【００１３】
１．回転羽根２０の構成
【００１４】
（１）  所定間隔Ｌ１を空けて配置した２枚の側円盤３、７の中心孔４、８に、回転軸１を取り外し可能に貫通させる（図７）。側円盤３、７の間で、中心孔４、８（回転軸１の中心）から所定距離Ｌ２を離して、放射状に、４枚の剛性羽根１０、１０を突設する。  
剛性羽根１０は、ステンレス製の羽根取付板１１を側円盤３、７の内面側に着脱自在にボルトで固定し、羽根取付板１１に羽根本体１３を着脱自在にボルトで固定して構成する。羽根取付板１１の基端側は基端が中心孔４、８に近づくように折り曲げ部１２を形成してある（図４、図９）。  
羽根本体１３は、自由端１５は側円盤３、７の外周縁４ａ、８ａより外方突出し、羽根本体１３の自由端１５側をなだらかな円弧状に屈曲して円弧状部１４を形成し、回転方向１８に対して後側に向けて、自由端１５を外周縁４ａ、８ａに沿って、かつ外周縁４ａ、８ａからの接線と略平行するように形成される。また、羽根本体１３、羽根取付板１１はいずれもステンレス製で形成され、多少の撓りはあるが、剛性のある材料である。また、羽根本体１３、エンボス加工により、全体に凹凸模様を形成してある（図示していない）。  
前記において、側円盤３、７の径はＬ３で形成され、羽根本体１３の自由端１５は側円盤３、７の外周縁４ａ、８ａよりも外方に突出しているので、羽根本体１３の最大外径（回転軌跡）は径Ｌ４で形成されている（Ｌ３＜Ｌ４）。通常は「Ｌ４―Ｌ３＝５ｍｍ」程度で形成する（図９）。
【００１５】
（２）  また、一方の側円盤３の外面３ｂに軸を一致させて小筒体５を固定し、小筒体５の側面にねじ孔６、６を設けて、ねじ孔６からボルトを中心に向けてねじ込み可能としてあり、回転軸１に対して固定及び固定解除が容易となっている。
【００１６】
（３）  以上のようにして、回転羽根２０を構成する（図５〜図９）。
【００１７】
２．廃棄油回収装置５０の構成
【００１８】
（１）  移動用のキャスター２３を下面に取り付けた基台２２上に、油貯留槽２４を設ける。油貯留槽２４には、オーバーフロー管２９を縦に設け、オーバーフロー管２９の上縁２９ａよりも上方に、油貯留槽２４の水位（廃棄油層の上面）が上がらないように規制してある（図１）。  
油貯留槽２４の開口縁２５に、支持架台３１を取り付ける。支持架台３１に、回転軸１の両端を回転自在に支持する。支持架台３１の一端部に、回転羽根２０の羽根本体１３の自由端１５の軌跡１５ａ（回転羽根２０の最大外径）Ｌ４より若干大きな内径で、部分円弧状の案内板３３を取り付ける。案内板３３の下端３５は、回転羽根２０の最下端１６よりも上方に位置し、オーバーフロー管２９の上縁２９ａ位置よりも下方に位置している。また、案内板３３の上端３４は回転軸１の水平位置と同等又は回転軸１よりも若干下方に位置している。  
案内板３３の上端３４に連続して、外方斜め下方に向けて滑り板３６の上端３７を連設する。滑り板３６の下端部は下方に向けて折り曲げた下垂れ部３８を形成する。また、回転羽根２０の上方にカバー３９を設ける（図４）。
【００１９】
（２）  油貯留槽２４の他端部２８に水導入口（ホースヘッド）４２を有する漏斗状の廃液導入具４１を設置する。また、油貯留槽２４の一端２７側の外面２６に油回収槽４４を設置する。油回収槽４４の開口縁４５は、滑り板３６の下垂れ部３８が臨んでいる。
【００２０】
（３）  また、オーバーフロー管２９の周りを、オーバーフロー管２９の上縁２９ａより高い筒状の隔離壁４７で覆っている。隔離壁４７の下端部に通水口４７ａを形成して、隔離壁４７内に廃棄油が入ることなく、かつ水のみがオーバーフロー管４７から排出されて廃棄油の上面高さを保つことができるようになっている。また、油貯留槽２４の底にドレン管４８を設ける。
【００２１】
（４）  以上のようにして、廃棄油回収装置５０を構成する（図１〜図３）。
【００２２】
３．廃棄油回収装置５０の作動
【００２３】
（１）  廃棄油と廃水が混じった廃液を、廃液導入具４１の上方から入れて、油貯留槽２４内に廃水と処理対象の廃棄油を導入する。静置すれば、水の層の上に廃棄油が浮かんだ状態となる。オーバーフロー管２９の上端２９ａ限界まで廃液を注入すれば、廃棄油層の上面がオーバーフロー管２９の上端２９ａとなる。また、回転羽根２０の下端１６はこの状態で、オーバーフロー管２９の上端２９ａ（廃棄油層の上面）よりも下方にある（深さＬ１０まで、廃棄油層の中に位置する）。また、案内板３３の下端３５もＬ１１だけ、オーバーフロー管２９の上端２９ａ（廃棄油層の上面）よりも下方にある（深さＬ１１だけ廃棄油層内に位置する）。ここで、「Ｌ１１＜Ｌ１０」となっている（図４）。回転羽根２０の径Ｌ４により多少異なるが、Ｌ４＝１６６ｍｍの場合には、Ｌ１０＝３０〜４０ｍｍ程度に設定することが、実験的に回収効率が良い。
【００２４】
（２）  続いて、回転軸１をほぼ一定の回転で、手動又は各種モータで回転させる。回転の増加に伴って、油層の上面が波立ち、回転数が毎分３０回転程度となった状態で、波だった油層を各羽根本体１３、１３が掬い上げて案内板３３の面と協同して、案内板３３に沿って、その上端３４を越えて、油を滑り板３６に流す。油は滑り板３６に沿って滑り降りて、下垂れ部３８を介して油回収槽４４に溜まる。
【００２５】
（３）  この際、水導入口４２にホースをつなぎ、水を油貯留層２４内に水を補給して、常に油層の上面を上位に保つことが望ましい。また同様に、油層の上面の位置が下がり廃棄油層が薄くなった場合には、更に廃液を廃液導入具４１から廃液を補給して、廃棄油層を厚くするとともに廃棄油層の上面の位置を上位に保つこともできる（図１）。  
このように、廃棄油層の上面を上位に保てば、油の回収効率は高められるが、廃棄油層の深さがＬ１０に減るまでは、廃棄油を回収できる。
【００２６】
（４）  また、この際、回転数を毎分６０回転程度としても滑り板３６までの油を移送して油を回収することは同様に可能であるが、６０回転を越えると回転の勢いにより油が飛び散り、また、滑り板３６の上端３７を越えて、油を反対側まで移送してしまうので、回転数の増加の割に回収量を増加させることができない。  
よって、実験的には、回転数を３０回転から６０回転程度になるように、制御すれば、油の飛び散りを抑えて、油の回収量を確保できるので好ましい。
【００２７】
（５）  また、この廃棄油回収装置５０の場合には、油貯留槽２４内の廃棄油層の厚さは、数ｍｍや、数十ｃｍであっても廃棄油の回収量を維持できる。
【００２８】
（６）  回収した廃棄油は、油回収槽４４を取り外して、油の成分によって、再利用又は産業廃棄物としての処理など所定の処理ができる（図１、図３）。また、廃棄油を除去した後の油貯留槽２４内の廃液（水）はドレン管４８から通常の排水として流すことができる。
【００２９】
４．他の実施形態
【００３０】
（１）  前記実施形態において、案内板３３の下端３５を、廃棄油層内にＬ１１だけ入れたが、少なくとも滑り板３６に連続する上端３４付近に位置していれば、回転羽根２０との協働が可能である（図示していない）。また、案内板３３は円弧状としたが、垂直壁とすることもできる（図示していない）。要は、回転羽根２０の最大外径Ｌ４との近接部分があれば良い。
【００３１】
（２）  また、前記実施形態において、側円盤３、７の径Ｌ３＝「Ｌ４―（５ｍｍ）」程度としたが、小径とすることもでき（図１０（ａ）、また、案内板３３に接触しない程度に大径とすることもできる（図示していない）。あるいは。また、側円盤３、７を設けたので、廃棄油の回収量を安定させることができるが、側円盤３、７は省略することもできる（図示していない）。
【００３２】
（３）  また、前記実施形態において、羽根本体１３に凹凸をしたので、油の回収効率を高められるが、凹凸を省略することもできる。
【００３３】
（４）  また、前記実施形態において、羽根本体１３は回転軸１から距離Ｌ２だけ離したが、回転軸１から半径方向に放射状に設けることもできる（図１０（ｂ））。  
また、羽根本体１３の自由端１５側に円弧状部１４を形成したが、円弧状部１４を省略して自由端１５側を直線状とすることもできる（図１０（ｃ））。  
また。羽根本体１３の枚数は、４枚としたが、３枚（図１０（ｄ）、２枚（図１０（ｅ））、あるいは、５枚以上、例えば６枚（図１０（ｆ））、とすることもできる。
【符号の説明】
【００３４】
１    回転軸
３    側円盤
３ａ    側円盤の内面
３ｂ    側円盤の外面
４      側円盤の中心孔
４ａ    側円盤の外周縁
５      側円盤の小筒体
６      小筒体のねじ孔
７    側円盤
７ａ    側円盤の内面
８      側円盤の中心孔
８ａ    側円盤の外周縁
１０  剛性羽根
１１    羽根取付板
１２    羽根取付板の折り曲げ部
１３    羽根本体
１４    羽根本体の円弧状部
１５    羽根本体の自由端
１６    羽根本体（回転羽根）の下端
１８    羽根本体（回転羽根）の回転方向
２０  回転羽根
２２  基台
２３    キャスター
２４  油貯留槽
２５    油貯留槽の開口縁
２６    油貯留槽の外面
２７    油貯留槽の一端部
２８    油貯留槽の他端部
２９  オーバーフロー管
２９ａ  オーバーフロー管の上縁（廃棄油層の上面）
３１  支持架台
３３  案内板
３４    案内板の上端
３５    案内板の下端
３６  滑り板
３７    滑り板の上端
３８    滑り板の下垂れ部
３９  カバー
４１  廃液導入具
４２    水導入口
４４  油回収槽
４５    油回収槽の開口縁
４７    隔離壁
４７ａ  隔離壁の通水口
４８    ドレン
５０  廃棄油回収装置
【図１】
0005731780.tif 000002
【図２】
0005731780.tif 000003
【図３】
0005731780.tif 000004
【図４】
0005731780.tif 000005
【図５】
0005731780.tif 000006
【図６】
0005731780.tif 000007
【図７】
0005731780.tif 000008
【図８】
0005731780.tif 000009
【図９】
0005731780.tif 000010
【図１０】
0005731780.tif 000011